(57)【要約】【課題】タッチセンサの視認性を向上させることを目的とする。【解決手段】タッチセンサ１０は、ｙ軸方向にそれぞれが延伸し、延伸方向を揃えて配置された複数のｘ座標電極パターンＸ１〜Ｘ１３と、ｘ軸方向にそれぞれが延伸し、延伸方向を揃えて配置された複数のｙ座標電極パターンＹ１〜Ｙ８およびＶ１〜Ｖ８とを備える。各ｘ座標電極パターンおよび各ｙ座標電極パターンにおける延伸方向の縁は山および谷が交互に連なる波形状を有する。各ｘ座標電極パターンにおける延伸方向の一対の縁は、谷の位置が互いにずれており、各ｙ座標電極パターンにおける延伸方向の一対の縁は、谷の位置が互いにずれている。【選択図】図１
2015064678.tif 000002
【特許請求の範囲】
【請求項１】
第１の方向にそれぞれが延伸し、延伸方向を揃えて配置された複数の第１方向電極パターンと、
前記第１の方向と交差する第２の方向にそれぞれが延伸し、延伸方向を揃えて配置された複数の第２方向電極パターンと、を備え、
前記複数の第１方向電極パターンのうちの少なくとも１つは、前記複数の第２方向電極パターンのうちの少なくとも１つと交差し、
各第１方向電極パターンおよび各第２方向電極パターンにおける延伸方向の縁が、山および谷を含む波形状を有し、
各第１方向電極パターンにおける延伸方向の一対の縁は、谷の位置は延伸方向に互いにずれており、各第２方向電極パターンにおける延伸方向の一対の縁は、谷の位置が延伸方向に互いにずれていることを特徴とする車両搭載用タッチセンサ。
【請求項２】
請求項１に記載の車両搭載用タッチセンサにおいて、
各第１方向電極パターンは、
前記第１の方向に配列された複数の第１電極と、
隣接する第１電極の間を接続する第１接続路と、を備え、
各第１方向電極パターンが備える第１接続路は、各第１方向電極パターンにおいて互いに延伸方向にずれて位置する一対の谷の間に形成され、
各第２方向電極パターンは、
前記第２の方向に配列された複数の第２電極と、
隣接する第２電極の間を接続する第２接続路と、を備え、
各第２方向電極パターンが備える第２接続路は、各第２方向電極パターンにおいて互いに延伸方向にずれて位置する一対の谷の間に形成され、
前記複数の第１方向電極パターンのうちの少なくとも１つにおける第１接続路が、前記複数の第２方向電極パターンのうちの少なくとも１つにおける第２接続路と交差していることを特徴とする車両搭載用タッチセンサ。
【請求項３】
請求項１または２に記載の車両搭載用タッチセンサと、
ディスプレイと、を備える車両搭載用タッチパネル装置において、
前記車両搭載用タッチセンサは、前記ディスプレイの表示面に重ねて配置され、
各第１方向電極パターンおよび各第２方向電極パターンは、光を透過する材料によって形成され、
前記ディスプレイは、前記第１の方向および前記第２の方向に配列された画素を表示することを特徴とする車両搭載用タッチパネル装置。
【発明の詳細な説明】
【技術分野】
【０００１】
本発明は、車両搭載用タッチセンサに関し、特に、電極の静電容量の変化を検出するセンサおよびそれを用いたタッチパネル装置に関する。
【背景技術】
【０００２】
自動車には、パワーウィンドウ、ウインカ、ルームライト、オーディオ装置等のアクセサリ機器が搭載される。アクセサリ機器の操作は、多くの場合、車室のコンソールに設けられた操作パネルによって行われる。従来、アクセサリ機器の操作パネルには、押しボタン式のスイッチや、回転つまみ式のロータリスイッチ、回転つまみ式のボリューム等が用いられていた。
【０００３】
近年、車室の居住性を向上させるため、操作パネルには様々な工夫が凝らされている。例えば、乗員がパネルをなぞったり、軽く触れたりするだけでアクセサリ機器の操作が行われるスイッチが広く用いられている。特許文献１には、このようなスイッチとして、複数のセンサ電極が設けられ、各センサ電極の静電容量の変化に基づいてアクセサリ機器を操作するスイッチが記載されている。特許文献１に記載のスイッチでは、車室のインストルメントパネルに、乗員が触れる領域が設けられている。この領域の裏側には、センサ電極が固定されたフレキシブル基板が設けられている。各センサ電極は、フレキシブル基板に設けられた配線を介してアクセサリ機器の制御コントローラに接続されている。
【０００４】
特許文献２には、静電容量の変化を検出するタッチセンサが記載されている。このタッチセンサは、縦方向に伸びた複数の電極パターンが横方向に並べて配置され、横方向に伸びた複数の電極パターンが縦方向に並べて配置されている。縦方向に伸びる複数の電極パターンのうち静電容量が変化したもの、および横方向に伸びる複数の電極パターンのうち静電容量が変化したものを検出することで、人体、ペン、指示棒等の検出目標物が触れた位置が検出される。
【先行技術文献】
【特許文献】
【０００５】
【特許文献１】特開２００９−４３４７３号公報
【特許文献２】特開２０１０−２１１８２３号公報
【発明の概要】
【発明が解決しようとする課題】
【０００６】
縦方向に伸びた複数の電極パターン、および横方向に伸びた複数の電極パターンを用いたタッチセンサには、各電極パターンが透明な材料で形成され、各電極パターンが透明な板状の部材上に配置されたものがある。このような透明なタッチセンサは、ディスプレイに重ねられ、ディスプレイに表示された図形と共にボタンとして機能する。しかし、透明なタッチセンサとディスプレイとを重ねた場合、ディスプレイ上に配列された画素と電極パターンとが光学的に干渉してモアレが発生する等、視認性が低下することがあった。
【０００７】
本発明は、タッチセンサの視認性を向上させることを目的とする。
【課題を解決するための手段】
【０００８】
本発明は、第１の方向にそれぞれが延伸し、延伸方向を揃えて配置された複数の第１方向電極パターンと、前記第１の方向と交差する第２の方向にそれぞれが延伸し、延伸方向を揃えて配置された複数の第２方向電極パターンと、を備え、前記複数の第１方向電極パターンのうちの少なくとも１つは、前記複数の第２方向電極パターンのうちの少なくとも１つと交差し、各第１方向電極パターンおよび各第２方向電極パターンにおける延伸方向の縁は、山および谷を含む波形状を有し、各第１方向電極パターンにおける延伸方向の一対の縁は、谷の位置が延伸方向に互いにずれており、各第２方向電極パターンにおける延伸方向の一対の縁は、谷の位置が延伸方向に互いにずれていることを特徴とする。
【０００９】
また、本発明に係る車両搭載用タッチセンサは、望ましくは、各第１方向電極パターンは、前記第１の方向に配列された複数の第１電極と、隣接する第１電極の間を接続する第１接続路と、を備え、各第１方向電極パターンが備える第１接続路は、各第１方向電極パターンにおいて互いに延伸方向にずれて位置する一対の谷の間に形成され、各第２方向電極パターンは、前記第２の方向に配列された複数の第２電極と、隣接する第２電極の間を接続する第２接続路と、を備え、各第２方向電極パターンが備える第２接続路は、各第２方向電極パターンにおいて互いに延伸方向にずれて位置する一対の谷の間に形成され、前記複数の第１方向電極パターンのうちの少なくとも１つにおける第１接続路が、前記複数の第２方向電極パターンのうちの少なくとも１つにおける第２接続路と交差している。
【００１０】
また、本発明に係る車両搭載用タッチパネル装置は、望ましくは、前記車両搭載用タッチセンサと、ディスプレイと、を備え、前記車両搭載用タッチセンサは、前記ディスプレイの表示面に重ねて配置され、各第１方向電極パターンおよび各第２方向電極パターンは、光を透過する材料によって形成され、前記ディスプレイは、前記第１の方向および前記第２の方向に配列された画素を表示する。
【００１１】
また、本発明に係る車両搭載用タッチセンサの一実施形態では、各第１方向電極パターンにおける延伸方向の一対の縁は互いに点対称な周期形状を有し、その一対の縁のうちの一方の周期形状は、他方の周期形状に対し延伸方向にずれており、各第２方向電極パターンにおける延伸方向の一対の縁は互いに点対称な周期形状を有し、その一対の縁のうちの一方の周期形状は、他方の周期形状に対し延伸方向にずれている。
【００１２】
また、本発明に係る車両搭載用タッチセンサの一実施形態では、各第１方向電極パターンにおける延伸方向の縁が有する波形状、および、各第２方向電極パターンにおける延伸方向の縁が有する波形状は、略三角波形状または三角波形状である。  
【発明の効果】
【００１３】
本発明によれば、タッチセンサの視認性を向上させることができる。
【図面の簡単な説明】
【００１４】
【図１】本発明の実施形態に係るタッチパネル装置の構成を示す図である。
【図２】ｘ座標電極パターンおよびＸ層プラスチックフィルムを示す図である。
【図３】ｘ座標電極パターンの拡大図である。
【図４】仮想電極パターンを示す図である。
【図５】ｙ座標電極パターンおよびＹ層プラスチックフィルムを示す図である。
【図６】ｙ座標電極パターンの拡大図である。
【図７】タッチセンサの拡大図である。
【図８】タッチセンサの断面図である。
【図９】１層のプラスチックフィルムを用いたタッチセンサの断面図である。
【発明を実施するための形態】
【００１５】
図１には本発明の実施形態に係るタッチパネル装置の構成が示されている。タッチパネル装置は、タッチセンサ１０に人体が接触または接近したときに、人体の接触位置または接近位置を検出部１４によって検出し、検出された位置に応じて機器制御部１６がアクセサリ機器を制御する。タッチセンサ１０には、複数の電極パターンが設けられており、人体の接触または接近による電極パターンの静電容量の変化に基づいて人体の接触位置または接触位置が検出される。
【００１６】
タッチセンサ１０は、Ｘ層プラスチックフィルム１２、ｘ座標電極パターンＸ１〜Ｘ１３、Ｙ層プラスチックフィルム１３、ｙ座標電極パターンＹ１〜Ｙ８、およびｙ座標電極パターンＶ１〜Ｖ８を備える。これらは透明または半透明な材料で形成され、光を透過する。
【００１７】
各ｘ座標電極パターンが配置されたＸ層プラスチックフィルム１２は、各ｙ座標電極パターンが配置されたＹ層プラスチックフィルム１３の上に重ね合わされている。各ｘ座標電極パターンは、縦方向に配列された複数のｘ電極１８によって形成され、Ｘ層プラスチックフィルム１２上に配置されている。各ｙ座標電極パターンは、横方向に配列された複数のｙ電極３０によって形成され、Ｙ層プラスチックフィルム１３上に配置されている。
【００１８】
タッチセンサ１０は、電子機器等のディスプレイの表示面に重ねられる。ディスプレイによって表示される複数の画素は、ｘ軸方向およびｙ軸方向に配列されている。ディスプレイに表示された画像は、タッチセンサ１０を介して透視される。
【００１９】
図２には、ｘ座標電極パターンＸ１〜Ｘ１３およびＸ層プラスチックフィルム１２が示されている。Ｘ層プラスチックフィルム１２は、透明または半透明なプラスチック樹脂で形成されている。各ｘ座標電極パターンは、透明または半透明な導電性材料によって形成され、スパッタリング、蒸着、印刷等の工法でＸ層プラスチックフィルム１２に固定されている。各ｘ座標電極パターンは、縦方向に配列され直列接続された複数のｘ電極１８を備え、縦方向に延伸する形状を有している。本実施形態では、各ｘ座標電極パターンは９個のｘ電極１８を備える。ｘ座標電極パターンＸ１〜Ｘ１３は、延伸方向を縦方向に揃えて横方向に並べて配列されている。ｘ座標電極パターンＸ１〜Ｘ１３には、それぞれ、ｘ座標値ｘ１〜ｘ１３が対応付けられている。
【００２０】
図３には、ｘ座標電極パターンＸの拡大図が示されている。ｘ座標電極パターンＸの左側の縁２２および右側の縁２４は山および谷が交互に連なる略三角波形状を有している。ここで、略三角波形状とは、三角波形状における左右の縁の山の頂点を欠損させた形状をいう。山の頂点はｙ軸に平行な区間または丸みを帯びた区間としてもよい。ｘ座標電極パターンＸの左右の縁は、頂点が欠損していない三角波形状であってもよい。右側の縁２４が描く略三角波形は、左側の縁２２が描く略三角波形を１８０°回転させたものである。すなわち、右側の縁２４が描く略三角波形と左側の縁２２が描く略三角波形２２とは互いに点対称である。
【００２１】
ｘ座標電極パターンＸの形状を導出する過程について説明する。図４には、仮想的な電極パターンＺが示されている。この仮想電極パターンＺは、縦方向に配列された複数の長方形の電極１９を備える。これらの電極１９は、それぞれの対角線が同一直線上に位置するように直列接続されている。隣接する電極１９は、それぞれの１つの頂点において接続されている。各電極１９の左右の頂点のｙ座標は、オフセット距離ｄだけずれている。ここで、仮想電極パターンＺの右側の縁２８を、左側の縁２６に対してオフセット距離ｄだけ下方向、すなわち、ｙ軸負方向に平行移動することで、図３に示されるｘ座標電極パターンＸの形状が導出される。すなわち、図４において対向していた左右の縁の谷２３が互いにずれることで、隣接する２つのｘ電極１８の間を接続するｘ電極接続路２０が形成される。このｘ電極接続路２０は、ｘ座標電極パターンＸにおいて互いに延伸方向にずれて位置する一対の谷２３の間に形成されている。ｘ座標電極パターンＸは、このようにして導出された形状を有するものである。
【００２２】
図５には、ｙ座標電極パターンＹ１〜Ｙ８、ｙ座標電極パターンＶ１〜Ｖ８、およびＹ層プラスチックフィルム１３が示されている。Ｙ層プラスチックフィルム１３は、透明または半透明なプラスチック樹脂で形成されている。各ｙ座標電極パターンは、透明または半透明な導電性材料によって形成され、スパッタリング、蒸着、印刷等の工法でＹ層プラスチックフィルム１３に固定されている。各ｙ座標電極パターンは、横方向に配列され直列接続された複数のｙ電極３０を備え、横方向に延伸する形状を有している。本実施形態では、各ｙ座標電極パターンは７個のｙ電極３０を備える。ｙ座標電極パターンＹ１〜Ｙ８は、左半分の領域に延伸方向を横方向に揃えて縦方向に並べて配列されている。ｙ座標電極パターンＶ１〜Ｖ８は、右半分の領域に延伸方向を横方向に揃えて縦方向に並べて配列されている。ｙ座標電極パターンＶ１〜Ｖ８は、それぞれ、ｙ座標電極パターンＹ１〜Ｙ８に隣接するが、電気的に接続されていない。ｙ座標電極パターンＹ１〜Ｙ８には、それぞれ、ｙ座標値ｙ１〜ｙ８が対応付けられている。同様に、ｙ座標電極パターンＶ１〜Ｖ８には、それぞれ、ｙ座標値ｙ１〜ｙ８が対応付けられている。
【００２３】
ｙ座標電極パターンは、図３に示されているｘ座標電極パターンを右回りまたは左回りに９０°回転させたものと同様の形状を有する。また、ｙ座標電極パターンは、図６に示されるような形状を有していてもよい。図６に示されるｙ座標電極パターンＹＶは、図３に示されるｘ座標電極パターンＸを右回りまたは左回りに９０°回転し、さらに、上側の縁３４と下側の縁３６との間の距離（図３における左側の縁２２と右側の縁２４との間の距離に対応）を、縦方向に縮小距離δだけ小さくしたものである。これによって、各ｙ電極３０はｘ電極１８よりも小さくなり、隣接する２つのｙ電極３０を接続するｙ電極接続路３２は、ｘ電極接続路２０よりも細く、かつ、長くなる。このような形状によって、各ｘ座標電極パターンと、各ｙ座標電極パターンとの間の隙間が大きくなる。ただし、縮小距離δは０であってもよい。
【００２４】
図７には、タッチセンサ１０の拡大図が示されている。この図ではｙ座標電極パターンＹＶが破線によって描かれている。各ｙ座標電極パターンＹＶは、Ｘ層プラスチックフィルム１２およびｘ座標電極パターンＸを介して透視される。ここでは、図６に示される縮小距離δが０でない場合の構造が描かれている。縮小距離δが小さくなる程、ｘ座標電極パターンＸとｙ座標電極パターンＹＶとの間の隙間は狭くなる。互いに交差するｘ座標電極パターンＸおよびｙ座標電極パターンＹＶについては、ｘ座標電極パターンＸが備えるｘ電極接続路２０の下層で、ｙ座標電極パターンＹＶが備えるｙ電極接続路３２が交差している。なお、ｘ座標電極パターンＸおよびｙ座標電極パターンＹＶの重なりの上下関係は逆であってもよい。また、ｙ座標電極パターンＹＶについて上下の縁間の距離を縮小する代わりに、ｘ座標電極パターンＸについて左右の縁間の距離を縮小してもよい。
【００２５】
図８には、ＡＢ線断面の一部が示されている。Ｙ層プラスチックフィルム１３は、ディスプレイ３８の表示面に固定されている。ｘ座標電極パターンＸが固定されたＸ層プラスチックフィルム１２は、ｙ座標電極パターンＹＶが固定されたＹ層プラスチックフィルム１３の上に重ねられている。ディスプレイ３８によって表示される複数の画素は、ｘ軸方向およびｙ軸方向に配列されている。ディスプレイ３８に表示された画像は、タッチセンサ１０を介して透視される。
【００２６】
このように、本実施形態に係るタッチセンサ１０は、ｙ軸方向（第１の方向）にそれぞれが延伸し、延伸方向を揃えて配置された複数のｘ座標電極パターン（第１方向電極パターン）と、ｘ軸方向（第１の方向と交差する第２の方向）にそれぞれが延伸し、延伸方向を揃えて配置された複数のｙ座標電極パターンとを備える。各ｘ座標電極パターンおよび各ｙ座標電極パターンにおける延伸方向の縁は山および谷を含む波形状を有する。各ｘ座標電極パターンにおける延伸方向の一対の縁は、谷の位置が延伸方向に互いにずれており、各ｙ座標電極パターンにおける延伸方向の一対の縁は、谷の位置が延伸方向に互いにずれている。
【００２７】
また、各ｘ座標電極パターンは、ｙ軸方向に配列された複数のｘ電極（第１電極）と、隣接するｘ電極の間を接続するｘ電極接続路（第１接続路）とを備える。各ｘ座標電極パターンが備えるｘ電極接続路は、各ｘ座標電極パターンにおいて互いに延伸方向にずれて位置する一対の谷の間に形成されている。同様に、各ｙ座標電極パターンは、ｘ軸方向に配列された複数のｙ電極（第２電極）と、隣接するｙ電極の間を接続するｙ電極接続路（第２接続路）とを備える。各ｙ座標電極パターンが備えるｙ電極接続路は、各ｙ座標電極パターンにおいて互いに延伸方向にずれて位置する一対の谷の間に形成されている。そして、互いに交差するｘ座標電極パターンおよびｙ座標電極パターンについては、ｘ座標電極パターンが備えるｘ電極接続路と、ｙ座標電極パターンが備えるｙ電極接続路とが交差している。
【００２８】
各ｘ座標電極パターンの左右の縁、および各ｙ座標電極パターンの上下の縁を三角波形状とすることで、各縁は、ｘ軸に平行となる区間およびｙ軸に平行となる区間のいずれも有さないこととなる。これによって、ディスプレイにおいてｘ軸方向およびｙ軸方向に配列された画素と、各ｘ座標電極パターンおよび各ｙ座標電極パターンの縁との光学的な干渉が抑制され、視認性が向上する。
【００２９】
図１に戻り、タッチパネル装置の構成および動作について説明する。各ｘ座標電極パターンにおける最下に位置するｘ電極１８は、検出部１４に接続されている。また、ｙ座標電極パターンＹ１〜Ｙ８のそれぞれの最も左側にあるｙ電極３０は、検出部１４に接続され、ｙ座標電極パターンＶ１〜Ｖ８のそれぞれの最も右側にあるｙ電極３０は、検出部１４に接続されている。
【００３０】
ｘ座標電極パターンＸ１〜Ｘ１３のいずれか、または、ｙ座標電極パターンＹ１〜Ｙ８およびＶ１〜Ｖ８のいずれかにユーザの指が接近または接触すると、ユーザの指が接近または接触したｘ座標電極パターンおよびｙ座標電極パターンの静電容量が変化する。
【００３１】
検出部１４は、例えば、各ｘ座標電極パターンおよび各ｙ座標電極パターンにおける静電容量を検出するアナログ回路、および、静電容量が変化した電極パターンの座標値を求めるディジタル回路を備える。
【００３２】
検出部１４は、ｘ座標電極パターンＸ１〜Ｘ１３のうち、静電容量が変化したものを検出し、さらに、ｙ座標電極パターンＹ１〜Ｙ８およびＶ１〜Ｖ８のうち、静電容量が変化したものを検出する。検出部１４は、この検出結果に基づいて、静電容量が変化したｘ座標電極パターンを特定し、静電容量が変化したｙ座標電極パターンを特定する。そして、静電容量が変化したｘ座標電極パターンに対応するｘ座標値、および静電容量が変化したｙ座標電極パターンに対応するｙ座標値を機器制御部１６に出力する。機器制御部１６は、検出部１４から出力された座標値に応じて、アクセサリ機器を制御する。
【００３３】
例えば、アクセサリ機器がエアコンディショナである場合には、機器制御部１６は、検出部１４から出力された座標値に応じて送風レベル、温度等を制御する。また、アクセサリ機器がオーディオ装置である場合には、検出部１４から出力された座標値に応じて音量、音質等を制御する。さらに、タッチセンサ１０上におけるユーザの指の動きに応じたアクセサリ機器の制御が行われてもよい。例えば、指がタッチセンサ１０上で円形を描くように動かされた場合には、検出部１４から機器制御部１６に出力される座標値が指の動きに応じて変化する。機器制御部１６は、座標値の変化が示す指の回転方向に応じて、エアコンディショナの温度調整や、オーディオ機器の音量調整を行うこととしてもよい。
【００３４】
なお、ここでは、タッチセンサ１０にユーザの指を接近または接触させる例について説明した。タッチセンサ１０は、ペン、指示棒等のその他の検出対象物によって操作が行われてもよい。
【００３５】
本発明の実施形態に係るタッチパネル装置では、タッチセンサ１０が備えるｘ座標電極パターンおよびｙ座標電極パターンの各縁は、ディスプレイによって表示される画素の配列方向とは異なる方向に伸びる。これによって、ディスプレイにおいてｘ軸方向およびｙ軸方向に配列された画素と、ｘ座標電極パターンおよびｙ座標電極パターンの各縁との光学的な干渉が抑制され、視認性が向上する。
【００３６】
なお、上記のタッチセンサ１０は、Ｘ層プラスチックフィルム１２およびＹ層プラスチックフィルム１３による２層構造を有する。各ｘ座標電極パターンおよび各ｙ座標電極パターンは、１層のプラスチックフィルムに配置されてもよい。この場合、図７に示される各ｘ座標電極パターンＸおよび各ｙ座標電極パターンＹＶは、１層のプラスチックフィルムの同一表面上に配置される。
【００３７】
図９には、この場合のＡＢ線断面の一部が示されている。ｘ座標電極パターンＸおよび各ｙ座標電極パターンＹＶは、プラスチックフィルム４０の同一表面上に配置されている。ｘ座標電極パターンＸに含まれるｘ電極接続路２０は、ｙ座標電極パターンＹＶに含まれるｙ電極接続路３２を跨ぐジャンパ形状を有する。これによって、ｘ座標電極パターンＸとｙ座標電極パターンＹＶとの接触が避けられる。さらに、ｙ座標電極パターンＹＶの縮小距離δは０でない。すなわち、ｙ座標電極パターンＹＶの上下の縁の間の距離は、ｘ座標電極パターンＸの左右の縁の間の距離よりも小さい。これによって、ｘ座標電極パターンＸと、ｙ座標電極パターンＹＸとの接触とが回避される。なお、接続路２０と接続路３２との間に電気絶縁層３３を設けることもできる。この場合、縮小距離δは０または０に近づけた値とし、接続路２０および接続路３２の幅をほぼ同一とすることができる。電気絶縁層３３は、空気であってもよいし、プラスチック樹脂等の絶縁材料であってもよい。
【００３８】
なお、上記の実施形態では、各ｘ座標電極パターンの左右の縁、および各ｙ座標電極パターンの上下の縁を略三角波形状としたが、各縁の形状はｘ軸方向およびｙ軸方向に対して平行に伸びる区間の少ない周期形状であってもよい。各縁の形状は、山および谷を含む波形状、例えば、三角波形状の直線区間に丸みを持たせた波形状や、正弦波形状であってもよい。
【符号の説明】
【００３９】
１０  タッチセンサ、１２  Ｘ層プラスチックフィルム、１３  Ｙ層プラスチックフィルム、４０  プラスチックフィルム、１８  ｘ電極、２０  ｘ電極接続路、２２，２６  左側の縁、２３  谷、２４，２８  右側の縁、３０  ｙ電極、３２  ｙ電極接続路、３３  電気絶縁層、３４  上側の縁、３６  下側の縁、３８  ディスプレイ、Ｘ１〜Ｘ１３，Ｘ  ｘ座標電極パターン、Ｙ１〜Ｙ８，Ｖ１〜Ｖ８，ＹＶ  ｙ座標電極パターン。    
【図１】
2015064678.tif 000003
【図２】
2015064678.tif 000004
【図３】
2015064678.tif 000005
【図４】
2015064678.tif 000006
【図５】
2015064678.tif 000007
【図６】
2015064678.tif 000008
【図７】
2015064678.tif 000009
【図８】
2015064678.tif 000010
【図９】
2015064678.tif 000011